(57)【要約】【課題】  植え孔形成口の開閉操作を楽にして繰り返し植え付け作業を行う際の労力軽減を図る。【解決手段】  筒体１０の上部開口１０ａから苗を投入し、筒体１０の下端に取り付けた植え孔形成口１１を地中で開放して、形成された植え孔に苗を落下させる苗補植機１であって、植え孔形成口１１は、回動支点を中心に回動することで植え孔形成口を開閉する嘴状の開閉部材１１Ａからなり、開閉部材１１Ａに下端部が固着され、上方に延びる開閉操作棒２０を備え、回動支点をテコの支点、下端部と開閉部材１１Ａの固着部をテコの作用点、開閉操作棒２０の上端部２０ｆをテコの力点として、開閉操作棒２０の上端部２０ｆを揺動操作することで、開閉部材１１Ａを開閉する。【選択図】図２
0003111272.tif 000002
【実用新案登録請求の範囲】
【請求項１】
懸垂自在な筒体の上部開口から苗を投入し、該筒体の下端に取り付けた植え孔形成口を地中で開放して、形成された植え孔に苗を落下させる苗補植機であって、
前記植え孔形成口は、回動支点を中心に回動することで前記植え孔形成口を開閉する嘴状の開閉部材からなり、
該開閉部材に下端部が固着され、上方に延びる開閉操作棒を備え、
前記回動支点をテコの支点、前記下端部と前記開閉部材の固着部をテコの作用点、前記開閉操作棒の上端部をテコの力点として、前記開閉操作棒の上端部を揺動操作することで、前記開閉部材を開閉自在にすることを特徴とする苗補植機。
【請求項２】
前記開閉操作棒は、前記開閉部材の上端外周に固着される水平屈曲部と前記筒体に沿って上方に延びる鉛直部とからなることを特徴とする請求項１に記載された苗補植機。
【請求項３】
前記筒体上部の側面に把手部が取り付けられ、該把手部が取り付けられた位置と異なる前記筒体の側面に沿って前記開閉操作棒の上端部が配置されることを特徴とする請求項１又は２に記載の苗補植機。
【請求項４】
前記筒体は上下に伸縮自在に形成されることを特徴とする請求項１〜３のいずれかに記載された苗補植機。
【考案の詳細な説明】
【技術分野】
【０００１】
本考案は、機械移植に対して補足的に行われる苗の補植作業の労力軽減を図る苗補植機に関するものである。
【背景技術】
【０００２】
現在、ビート（甜菜）やタマネギ等の根菜、キャベツ，レタス，白菜等の野菜の栽培では、全自動又は半自動の移植機を用いた機械移植栽培が定着している。この機械移植栽培では、一般に、ポット苗等の土付き苗が用いられ、各種の移植機構を備えた移植機によって、この苗を圃場の畦に等間隔で植え付けることがなされている。
【０００３】
しかしながら、このような機械移植によると、移植機の精度等によって植え付け間隔が空きすぎたり、植え付け後に苗が風に飛ばされてしまったり、或いは根付きが悪く枯れてしまったりして、本来所定間隔で植え付けられているべき苗列に欠株が生じることがしばしば起こりうる。
【０００４】
そこで、圃場での集約性を高めるために、移植機による移植作業から１，２ヶ月後に、苗列の欠株が生じていることころに個別に苗を移植する補植作業を行うことが常になっている。例えば、寒冷地のビート栽培では、２月から３月にかけてハウス栽培した苗を自動移植機で圃場に移植し、その後、苗の定着が確認できる４月末から５月初旬にかけて前述した補植作業を行うことが一般になされている。
【０００５】
この補植作業は、作業者が苗を多数収容した容器を肩に掛けて、欠株の生じている箇所を探して移動し、その箇所が見つかったところで容器内の苗を植え付けるもので、作業者にとっては、移動時の立ち作業と植え付け時の屈み作業が繰り返されるので、かなりの重労働を強いられることになる。
【０００６】
このような補植作業の労力を軽減するために、立ったままで苗を一株ずつ植え付けることができるポット苗用補植機が従来から採用されている（例えば、下記特許文献１参照）。
【０００７】
この従来技術を採用した補植作業を図１によって説明すると、筒体Ｊ１の上部に取り付けられた把手Ｊ２を持って機体を懸垂し、別の手で持ったポット苗を上部開口Ｊ１ａから筒体Ｊ１内に投入すると、筒体Ｊ１底部の穿孔機Ｊ３で投入されたポット苗が一旦受け止められる。その状態で、把手Ｊ２を持って機体を押し下げて穿孔機Ｊ３を規制部材Ｊ３ａの位置まで地中に押し込む。そして、レバーＪ４を強く握りしめると、連結機構Ｊ５を介して穿孔機Ｊ３が嘴状に左右に開き、地表に植え孔が形成されると共にポット苗が放出される。そこで、レバーＪ４を握りしめたまま機体を地表から引き上げると、植え孔内に苗の植え付けがなされる。レバーＪ４を開放すると、バネＪ６によってレバーＪ４が戻されるので、穿孔機Ｊ３が元の閉じた状態に戻る。
【０００８】
【特許文献１】特開２０００−４１４２２号公報
【考案の開示】
【考案が解決しようとする課題】
【０００９】
このような従来技術によると、穿孔機Ｊ３を地中に押し込んで開く作業は、土中の抵抗が加わるのでかなり力の要る作業になり、苗を一株植える毎に握力，手首，腕に局部的な疲労が貯まることになるので、従来の補植機を採用しても必ずしも労力の軽減にはならない。
【００１０】
また、前述した穿孔機Ｊ３の開閉操作を電動化することが考えられるが、機体に電源等を搭載すると、その分機体重力が増すことになるので、機体を地中に押し込んで引き上げる作業に力が要ることになり、繰り返し植え付け作業を行うことを考えると、これによっても必ずしも労力の軽減にならないという問題があった。
【００１１】
また、補植機の機体長さが固定されているので、作業者の身長が機体長さに合わない限り快適に作業を行うことができないという問題があった。
【００１２】
本考案は、このような問題に対処することを課題とするものであり、繰り返し植え付け作業を行う際の労力軽減を図ることができ、また、作業者の身長差に関わらず快適な作業性が得られる苗補植機を提供することを目的とする。
【課題を解決するための手段】
【００１３】
このような目的を達成するために、本考案は、一つには、懸垂自在な筒体の上部開口から苗を投入し、該筒体の下端に取り付けた植え孔形成口を地中で開放して、形成された植え孔に苗を落下させる苗補植機であって、前記植え孔形成口は、回動支点を中心に回動することで前記植え孔形成口を開閉する嘴状の開閉部材からなり、該開閉部材に下端部が固着され、上方に延びる開閉操作棒を備え、前記回動支点をテコの支点、前記下端部と前記開閉部材の固着部をテコの作用点、前記開閉操作棒の上端部をテコの力点として、前記開閉操作棒の上端部を揺動操作することで、前記開閉部材を開閉自在にすることを特徴とする。
【００１４】
また一つには、前記開閉操作棒は、前記開閉部材の上端外周に固着される水平屈曲部と前記筒体に沿って上方に延びる鉛直部とからなることを特徴とする。
【００１５】
また一つには、前記筒体上部の側面に把手部が取り付けられ、該把手部が取り付けられた位置と異なる前記筒体の側面に沿って前記開閉操作棒の上端部が配置されることを特徴とする。
【００１６】
また一つには、前記筒体は上下に伸縮自在に形成されることを特徴とする。
【考案の効果】
【００１７】
このような特徴を有する本考案は、植え孔形成口が、回動支点を中心に回動することで開閉する嘴状の開閉部材からなり、該開閉部材に下端部が固着され、上方に延びる開閉操作棒を備え、前記回動支点をテコの支点、前記下端部と前記開閉部材の固着部をテコの作用点、前記開閉操作棒の上端部をテコの力点として、前記開閉操作棒の上端部を揺動操作することで、前記開閉部材を開閉自在にしている。これによると、開閉部材の回動支点をテコの支点にしていることで、その支点からテコの力点となる開閉操作棒の上端部までの距離を大きく確保することが可能になり、従来技術のように手元に支点があるレバー操作に比べて、植え孔形成口の開閉に要する力を格段に軽減することができる。
【００１８】
また、開閉操作棒は、開閉部材の上端外周に固着される水平屈曲部と筒体に沿って上方に延びる鉛直部とからなるので、水平屈曲部によって前述の作用点を確実に開閉部材に固着することができ、また、テコの支点となる回動支点と作用点となる固着部分を近接させることができる。これによって、鉛直部の上端部に形成される力点の揺動操作に要する力を確実に軽減させることができる。
【００１９】
また、筒体上部の側面に把手部が取り付けられ、該把手部が取り付けられた位置と異なる前記筒体の側面に沿って前記開閉操作棒の上端部が配置されているので、一方の手で把手部を握り、他方の手で開閉操作棒の上端部を揺動操作することができ、良好な操作性を得ることができる。
【００２０】
また、筒体を上下に伸縮自在にしたので、作業者の身長に合わせて筒体を伸縮調整して、機体長さを調整することができるので、身長の大小に関わらず快適な作業性を得ることができる。
【考案を実施するための最良の形態】
【００２１】
以下、本考案の実施形態を図面に基づいて説明する。図２は、本発明の実施形態に係る苗補植機１の全体を示す斜視図であり、図３は、本発明の実施形態に係る苗補植機１の操作を示す斜視図である。
【００２２】
本考案の実施形態に係る苗補植機１は、懸垂自在な筒体１０の上部開口１０ａから苗を投入し、筒体１０の下端に取り付けた植え孔形成口１１を地中で開放して、形成された植え孔に苗を落下させるものである。
【００２３】
そして、本考案の実施形態における苗補植機１は、筒体１０を伸縮自在にしている。即ち、筒体１０を第１の筒体１０Ａとそれよりは大口径の第２の筒体１０Ｂとから構成し、第１の筒体１０Ａの下端を第２の筒体１０Ｂの上端から挿入してスライド自在にすると共に、くさびねじ部等による固定部１０Ｃを設けて、所定のスライド状態で固定できるようにしている。これによって、第２の筒体１０Ｂ内に挿入される第１の筒体１０Ａのスライド量を調整することで、筒体１０の長さを伸縮自在にしている。
【００２４】
また、第１の筒体１０Ａの上方部分には把手部１２が取り付けられ、下端に植え孔形成口１１が設けられた第２の筒体１０Ｂの下方部分には、足踏み部１３が取り付けられており、片手で把手部１２を持って植え付け位置に植え孔形成口１１の下端を突き刺し、足踏み部１３を踏み込んで植え孔形成口１１を地中に挿入させる。
【００２５】
そして、本考案の実施形態における苗補植機１によると、植え孔形成口１１は、回動支点を中心に回動することで植え孔形成口１１を開閉する嘴状の開閉部材１１Ａからなり、開閉部材１１Ａに下端部が固着され、上方に延びる開閉操作棒２０を備えている。この開閉操作棒２０は、開閉部材１１Ａの上端外周に固着される水平屈曲部２０Ａと筒体１０に沿って上方に延びる鉛直部２０Ｂとからなっている。また、筒体１０（１０Ａ）上部の側面に前述した把手部１２が取り付けられているのに対して、その把手部１２が取り付けられた位置と異なる側面に沿って、開閉操作棒２０の上端部２０ｆが配置されている。
【００２６】
この開閉操作棒２０は、前述した開閉部材１１Ａの回動支点をテコの支点、開閉操作棒２０の下端部と開閉部材１１Ａの固着部をテコの作用点、開閉操作棒２０の上端部２０ｆをテコの力点として、開閉操作棒２０の上端部２０ｆを図３の矢印Ａのように揺動操作することで、開閉部材１１Ａを矢印Ｂのように開閉自在に操作するものである。また、開閉操作棒２０の鉛直部２０Ｂ中段にはバネ２１の一端が取り付けられて、その他端が筒体１０（１０Ｂ）の側面に取り付けられており、このバネ２１の付勢によって、開閉部材１１Ａを閉じる操作を補助している。
【００２７】
図４は、前述した開閉操作棒２０と開閉部材１１Ａの構造例を部分的に示した部品図である（同図（ａ）が側面図、同図（ｂ）が正面図）。開閉操作棒２０の下端部に当たる水平屈曲部２０Ａが嘴状の開閉部材１１Ａの上端部外周に沿って固着されており、その開口部材１１Ａの上端部には軸支部１１ＡＯが一体に形成されている。この軸支部１１ＡＯの端部には回動支点Ｏに軸支される軸支孔が形成されている。したがって、開閉操作棒２０の下端部は、開閉部材１１Ａ及びその軸支部１１ＡＯと一体に固着されていることになる。
【００２８】
これによって、開閉操作棒２０の上端部２０ｆを揺動操作すると、開閉部材１１Ａが回動支点Ｏを中心に回動され、植え孔形成口１１が開閉されることになるが、この際に、回動支点Ｏがテコの支点になり、下端部の固着部分が作用点になり、上端部２０ｆが力点になって、テコの作用が働くことになる。そして、回動支点Ｏをテコの支点としているので、この支点から作用点までの距離を短く設定し、この支点から力点までの距離を大きく設定することが可能になり、僅かの力で開閉部材１１Ａの開閉操作を行うことができることになる。
【００２９】
このような実施形態に係る苗補植機１の使用方法を説明すると、まず、筒体１０の伸縮調整を行って作業者の身長に応じて使いやすいように機体長を調整する。そして、補植箇所にたどり着いたら、把手部１２を片手で持って機体を懸垂し、別の手で持ったポット苗等の苗を上部開口１０ａから筒体１０内に投入する。そうすると、常時閉じている植え孔形成口１１で、投入された苗が一旦受け止められるので、その状態で、把手部１２を持って植え付け箇所に植え付け形成口１１の先端を突き刺し、足踏み部１３を踏みつけることで機体を押し下げて植え孔形成口１１を地中に差し込む。
【００３０】
そして、開閉操作棒２０の上端部２０ｆを揺動操作することで、植え孔形成口１１が開いて地表に植え孔が形成されると共に苗が孔内に放出される。そこで、把手部１２を持って、開閉操作棒２０を一方向に操作したまま、苗補植機１の機体を地表から引き上げると、植え孔内に苗の植え付けがなされる。この際、筒体１０上部の一側面に把手部１２が取り付けられ、この一側面と反対の側面に沿って開閉操作棒２０の上端部２０ｆが配置されているので、作業者は、両手を使って、把手部１２による機体の保持と開閉操作棒２０の操作を円滑に行うことができる。
【００３１】
これによると、筒体１０を伸縮自在にしたので、作業者の身長に合わせて筒体１０を伸縮調整して、機体長さを調整することができるので、身長の大小に関わらず快適な作業を行うことができる。また、開閉部材１１Ａの回動支点Ｏをテコの支点にしていることで、その支点からテコの力点となる開閉操作棒２０の上端部２０ｆまでの距離を大きく確保することが可能になり、従来技術のように手元に支点があるレバー操作に比べて、植え孔形成口１１の開閉に要する力を格段に軽減することができる。
【００３２】
以上説明したように、本考案の実施形態に係る苗補植機１は、作業者の身長差に関わらず快適な作業性が得られると共に、植え孔形成口１１の開閉を楽に行うことができるので、繰り返し植え付け作業を行う際の労力軽減を図ることができる。
【図面の簡単な説明】
【００３３】
【図１】従来技術の説明図である。
【図２】本発明の実施形態に係る苗補植機の全体を示す斜視図である。
【図３】本発明の実施形態に係る苗補植機の操作を示す斜視図である。
【図４】本発明の実施形態に係る苗補植機の開閉操作棒と開閉部材の構造例を部分的に示した部品図である（同図（ａ）が側面図、同図（ｂ）が正面図）。
【符号の説明】
【００３４】
１    苗補植機
１０ａ    上部開口
１０    筒体
１０Ａ    第１の筒体
１０Ｂ    第２の筒体
１０Ｃ    固定部
１１    植え孔形成口
１１Ａ    開閉部材
１１ＡＯ    軸支部
１２    把手部
１３    足踏み部
２０    開閉操作棒
２０Ａ    水平屈曲部
２０Ｂ    鉛直部
２０ｆ    上端部
２１    バネ
Ｏ    回動支点
【図１】
0003111272.tif 000003
【図２】
0003111272.tif 000004
【図３】
0003111272.tif 000005
【図４】
0003111272.tif 000006